(57)【要約】【課題】モノクロ表示機能或いはツートンカラー表示機能のみのボード等を用いても、色情報を有効に扱えるようにした新規有用な表示装置を新たに提供する。【解決手段】駆動信号Ｈが入力されることにより表示状態がＯＦＦからＯＮに切り替わる描画素子３１を多数配列した表示手段たるボード３と、前記ボード３に表示すべき描画情報Ａを記憶した記憶手段６と、この記憶手段６に記憶されている描画情報Ａを書き込み信号Ｓに変換する変換手段７と、この変換手段７により変換された書き込み信号Ｓに基づいて前記ボード３の描画素子３１に駆動信号Ｈを出力する素子駆動手段４とを具備する。そして、前記描画情報Ａが、描画すべき位置又は領域を指定する基本描画情報ａ１と、描画すべき位置又は領域の色を指定する色情報ａ２とを含み、前記変換手段７が、前記色情報ａ２に基づき基本描画情報ａ１に色ごとに所定の加工を施した上で描画素子３１への書き込み信号Ｓに変換するようにした。【選択図】図５
2004276412.tif 000002
【特許請求の範囲】
【請求項１】
駆動信号が入力されることにより表示状態がＯＦＦからＯＮに切り替わる描画素子を多数配列した表示手段と、前記表示手段に表示すべき描画情報を記憶した記憶手段と、この記憶手段に記憶されている描画情報を書き込み信号に変換する変換手段と、この変換手段により変換された書き込み信号に基づいて前記表示手段の描画素子に駆動信号を出力する素子駆動手段とを具備してなるものであって、
前記描画情報が、描画すべき位置又は領域を指定する基本描画情報と、描画すべき位置又は領域の色を指定する色情報とを含み、前記変換手段が、前記色情報に基づき基本描画情報に色ごとに所定の加工を施した上で描画素子への書き込み信号に変換するようにしていることを特徴とする表示装置。
【請求項２】
基本描画情報に線の描画に関する情報を含み、変換手段が、色ごとに異なる線種又は線幅の書き込み信号に変換するものである請求項１記載の表示装置。
【請求項３】
基本描画情報に領域の塗りつぶしに関する情報を含み、変換手段が、色ごとに異なる塗りつぶしパターンの書き込み信号に変換するものである請求項１又は２記載の表示装置。
【請求項４】
表示手段の描画素子が、色表示要素を内包し、この色表示要素を電気力又は磁気力で変位させることによって表示状態がＯＦＦからＯＮに切り替わるものである請求項１〜３記載の表示装置。
【請求項５】
表示手段の表面に、透明又は半透明のシート層を備え、このシート層を介して描画素子の表示状態を視認可能とするとともに、このシート層の表面に筆記手段による書き込みを可能としている請求項１〜４記載の表示装置。
【請求項６】
描画素子により表示されている描画情報と筆記手段により書き込まれる描画情報とを読み取る読み取り手段を具備するものであって、筆記手段による描画情報が描画素子の表示機能にない色に係る色情報を含むものである場合、読み取り手段が、描画素子による表示の位置又は領域と筆記手段による描画の位置又は領域とを基本描画情報として読み取るとともに、少なくとも筆記手段による描画の位置又は領域の色を色情報として読み取ることが可能で、これらの情報を含む描画情報を前記記憶手段に記憶するようにしている請求項５記載の表示装置。
【請求項７】
請求項１〜６記載の表示装置を情報処理装置とともに用いる表示システムであって、情報処理装置は、基本描画情報及び色情報を含む描画情報を有し、この描画情報を電気通信回線又は情報メディアを介して表示装置の記憶手段に記憶するようにしている表示システム。
【発明の詳細な説明】
【０００１】
【発明の属する技術分野】
本発明は、簡素な構成で色表現を可能とする表示装置に関するものである。
【０００２】
【従来の技術】
表示装置の大半は、往来のモノクロ機能、ツートンカラー機能から今日のＲＧＢ素子を利用したカラー表示機能へ変遷を遂げた。しかし、それは主としてＣＲＴや液晶を利用した表示装置に関してであり、依然として黒板やホワイトボードのようにモノクロ若しくはトートンカラーのみの表示機能を備えた表示装置は存続している。目的・用途によってはそれで足りることがあり、カラー機能のものに比べて遥かに安価に利用できるメリットがあるからである。
【０００３】
特に、近年においては、黒板の発展的製品して、特許文献１〜３に示すように、描画素子を有し、該描画素子を磁気力でＯＮ、ＯＦＦ制御することにより変位させて、ＯＮ状態の描画素子とＯＦＦ状態の描画素子とから、表示すべき描画情報を画面に出力できるようにした表示装置が開発されている。この表示装置には、記憶されている描画情報を出力表示するだけでなく、ボード上に描画されている情報を読み取って記憶する読み取り機能も備わっている。
【０００４】
【特許文献１】特許第３３５１６２６号公報
【特許文献２】特公平７−１１１６１６号公報
【特許文献３】特開平９−０７６６９４号公報
【０００５】
【発明が解決しようとする課題】
ところで、このような電磁化された表示装置においては、外部のＰＣ等で生成された描画情報が読み込まれる場合があり、その描画情報には色情報が含まれることが少なくない。しかし、かかる表示装置は実質的に色を表現しないものであるため、色情報は無視されるばかりか、色分けされた描画情報がモノクロ表示されることにより描画内容の一部が混同を生じて別異の描画内容に書き換わるおそれが高い。
【０００６】
また、上記ボードは、画面に透明又は半透明のシート層を貼り付け、このシート層を介して描画素子の表示状態を視認可能にした上で、シート層の表面にマーカーによる書き込みを可能とすれば、マーカーの色も活用できる便利なものとなる。しかし、このような利用の態様においても、再表示の際に色情報が無視されれば、描画内容の一部が混同を生じて別異の描画内容に書き換わるおそれが高い点で、上記と事情は同じである。
【０００７】
本発明は、このような課題に着目してなされたものであって、モノクロ表示機能或いはツートンカラー表示機能のみであっても、色情報を有効に扱えるようにした新規有用な表示装置を新たに提供しようとするものである。
【０００８】
【課題を解決するための手段】
本発明は、かかる目的を達成するために、次のような手段を講じたものである。
【０００９】
すなわち、本発明の表示装置は、駆動信号が入力されることにより表示状態がＯＦＦからＯＮに切り替わる描画素子を多数配列した表示手段と、前記表示手段に表示すべき描画情報を記憶した記憶手段と、この記憶手段に記憶されている描画情報を書き込み信号に変換する変換手段と、この変換手段により変換された書き込み信号に基づいて前記表示手段の描画素子に駆動信号を出力する素子駆動手段とを具備してなることを前提とする。そして、前記描画情報が、描画すべき位置又は領域を指定する基本描画情報と、描画すべき位置又は領域の色を指定する色情報とを含み、前記変換手段が、前記色情報に基づき基本描画情報に色ごとに所定の加工を施した上で描画素子への書き込み信号に変換するように構成されていることを特徴とする。
【００１０】
ここに、所定の加工を施すとは、表示手段により表示される内容が本来の表示内容との間で意味内容の同一性を維持する範囲でその描画すべき位置や領域の一部に追加、削除、変更を加えることをいう。また、色ごとに所定の加工を施すとは、色ごとに描画すべき位置や領域への追加、削除、変更の態様を異ならせ、色ごとに識別してその表示内容を把握できるようにすることをいう。
【００１１】
このようにすれば、表示機能がモノクロ、ツートンカラーに限られ、色表示機能を備えない表示装置においても、カラーで色分けされた描画情報を実質的に書き換わることなく有効に表示することが可能となる。
【００１２】
具体的な実施の態様として、基本描画情報に線の描画に関する情報を含む場合は、変換手段が、色情報に基づいて色ごとに基本描画情報の線を異なる線種又は線幅の線に加工する態様が好適であり、基本描画情報に領域の塗りつぶしに関する情報を含む場合は、変換手段が、色情報に基づいて色ごとに基本描画情報の領域の塗りつぶしを異なる塗りつぶしパターンに加工する態様が好適である。
【００１３】
本発明に適したものとしては、表示手段の描画素子が、色表示要素を内包し、この色表示要素を電気力又は磁気力で変位させることによって表示状態がＯＦＦからＯＮに切り替わるようにしたものが挙げられる。
【００１４】
書き込んで使用する際に色の使い分けを行なえるようにするためには、表示手段の表面に、透明又は半透明のシート層を備え、このシート層を介して描画素子の表示状態を視認可能とするとともに、このシート層の表面に筆記手段による書き込みを可能としているものが挙げられる。
【００１５】
この場合、筆記手段による書き込みを本表示装置上で有効に再現できるようにするためには、描画素子により表示されている描画情報と筆記手段により書き込まれる描画情報とを読み取る読み取り手段を具備し、筆記手段による描画情報が描画素子の表示機能にない色に係る色情報を含むものである場合、読み取り手段が、描画素子による表示の位置又は領域と筆記手段による描画の位置又は領域とを基本描画情報として読み取るとともに、少なくとも筆記手段による描画の位置又は領域の色を色情報として読み取ることが可能で、これらの情報を含む描画情報を前記記憶手段に記憶するようにしておくことが好適である。
【００１６】
また、他の情報処理装置から導入される描画情報を有効に表示し得るようにするためには、本表示装置を情報処理装置とともに用い、情報処理装置に基本描画情報及び色情報を含む描画情報を備え、この描画情報を電気通信回線又は情報メディアを介して表示装置の記憶手段に記憶し得るように表示システムを構築しておくことが有効となる。
【００１７】
【発明の実施の形態】
以下、本発明の一実施形態を、図面を参照して説明する。
【００１８】
この表示装置Ｘは、図１に示すように、文字、図形、イラスト、画像等を描画可能な表示手段たるボード３と、このボード３に付帯してボード３への書き込み、ボード３からの読み取りを行なう駆動装置１とを具備する。そして、図２に示すように、この表示装置１をＬＡＮ、ＷＡＮ、インターネット等の電気通信回線Ｎを介して情報処理装置２に通信可能に接続して、全体として表示システムを構築している。
【００１９】
具体的に説明すると、表示装置１のボード３は、複数人が同時に閲覧することが可能であるような寸法を有する画面を備えており、ユーザはこの画面に種々の情報、即ち文字、記号、図形、イラストや画像その他を描画して提示することができる。ボード３は、自立性を有するものであることが好ましい。本実施形態におけるボード３は、電気力若しくは磁気力を受けて変位する描画素子を内包して、外方より（特に、画面側より）電気力線、磁力線、電磁波等の駆動信号を受けることで内設している描画素子をＯＦＦ状態からＯＮ状態に切り換え得るものである。典型的には、図３に示すように、ハニカム構造をなす多数のセル状の描画素子３１を縦横に配列してなるもので、各描画素子３１内には流体３２と、磁性粒からなる色表示要素３３とを封入してある。色表示要素３３のＮ極とＳ極には、相異なる色素の着色が施されている。この色表示要素３３の色は特に限定されず、白黒等でもよいが、ここでは一方の極の側を白色、他方の極の側を緑色とする。色表示要素３３は、セル３１内で流体３２中におかれ、外方より駆動信号Ｈ（磁気信号）を受けることで回転する。この結果、色表示要素３３が変位して画面の前面側に何れの極が位置するかで表示のＯＮ／ＯＦＦ状態が切り替わる。すなわち、色表示要素３３は、描画される文字、図形等を構成する要素となるか、描画される文字、図形等以外の背景を構成する要素となる。従って、磁石を筆先に配した筆記具を使用しても、ボード３の画面に文字、図形等を描画することは可能であり、筆記具とは逆の極性を有する磁石を使用することで、描画した文字、図形等を消去することも可能である。因みに、以下の説明においては、該ボード３は緑色の背景に白色で描画する黒板として説明するが、白色の背景に緑色や黒色で描画するホワイトボードとしても利用可能である。
【００２０】
また、本実施形態では、ボード３の表面にＰＥＴフィルムに代表される透光性及び透磁性を有するシート層Ｌを形成しており、このシート層Ｌを介して描画素子３１により表示を前面側から視認可能にするとともに、一般的なマーカーペン等の筆記手段Ｐを使用してボード３の表面に描画することも可能としている。
【００２１】
他方、駆動装置１は、図１に示すように、ボード３とは別体をなす本体１ｄが、図示しないアクチュエータにより駆動されてボード３の盤面に略沿って移動可能であるように該ボード３に取り付けてある。本体１ｄは、ボード３の上下寸法にほぼ対応した上下寸法を有する長尺板状のもので、長手方向に沿って図３に示す描画ヘッド１ａや光学センサ１ｂを配列している。そして、この本体１ｄがボード３の盤面に沿って左右方向に移動することで、ボード３の表面全体を走査するものである。描画ヘッド１ａは励磁コイルや該励磁コイルに電圧を印加する回路等を包含している。光学センサ１ｂは、描画内容からその描画位置及び色を検出し得るものである。
【００２２】
本体１には、前記描画ヘッド１ａ、光学センサ１ｂのほかに、これらを制御する制御部１ｃ（図４参照）を具備する。制御部１ｃは、プロセッサやメモリ、Ｉ／Ｏインタフェースを内包し、そのＩ／Ｏインタフェースには、ユーザによる操作入力を受け付ける入力デバイス１ｅや、着脱可能なメモリカードに代表される補助記憶デバイス１ｆ、情報処理装置２と通信するための通信デバイス１ｇ（特に、無線通信デバイス）、プリンタ１ｈ等が接続してある。そして、メモリ内に表示プログラムを内蔵しており、プロセッサが逐次この表示プログラムを読み取り、周辺ハードウェア資源と協働して所定のデータ処理を施すことによって、図５に示すような本発明の素子駆動手段４、読み取り手段５、記憶手段６、変換手段７を構成している。
【００２３】
素子駆動手段４は、前記描画ヘッド１ａと制御部１ｃが主体をなし、書き込み信号Ｓが入力されると、内蔵回路を通じて励磁コイルに電圧を印加し、これにより色表示要素３３を駆動するための磁力線を生成して、これを駆動信号Ｈとして描画ヘッド１ａに作用させるものである。
【００２４】
読み取り手段５は、光センサ１ｂと制御部１ｃが主体をなし、また既存の光学式マウスまたは機械式（ボール）マウスと同様の原理で本体１ｄのボード３に対する変位を図示しない検出手段で検出して、光学センサ１ｂを介して読み取った内容を描画情報Ａとして記憶手段６に格納する。光学センサ１ｂは、ボード３に付帯させた描画素子３１の色表示要素３３により表現される文字、図形等の描画内容と、マーカー等の筆記手段Ｐによって描画された描画内容との双方を、表示の位置又は領域に関する基本描画情報ａ１、及び、表示の位置又は領域の色に関する色情報ａ２として読み取る。つまり、筆記手段Ｐによる描画情報に描画素子３１の表示機能にない色（例えば描画素子３１が白と緑である場合に、これ以外の色）を使用した場合、描画素子３１による表示の位置又は領域と、筆記手段Ｐによる描画の位置又は領域とを基本描画情報ａ１として読み取るとともに、白又は緑で描画された部分の位置又は領域と、それ以外の色で描画された部分の位置又は領域とを色情報ａ２として読み取る。例えば、図１で「会議予定」なる文字が描画素子３１によるものであり、「１３：００〜」なる文字が筆記手段Ｐによるものである場合、基本描画情報ａ１はそれら双方の文字の位置や輪郭を現すデータを有し、色情報ａ２は「会議予定」なる文字に対応する位置の描画素子３１が白であることのデータと、「１３：００〜」なる文字に対応する位置の描画素子３１が赤であることのデータを有する。
【００２５】
記憶手段６は、制御部１ｃのプロセッサメモリまたは補助記憶デバイス１ｆが主体をなし、それらのデータ領域の一部に、描画情報Ａのための記憶領域を確保する。そして、前記読み取り手段５が読み取った描画情報Ａを構成する基本描画情報ａ１と色情報ａ２とを関連づけて記憶する。また、この記憶手段６のプログラム領域には、次に述べる変換手段７を構成する変換プログラムが格納してある。
【００２６】
変換手段７は、制御部１ｃのプロセッサが主体をなし、前記記憶手段６から変換プログラムを読み込むとともに、記憶手段６に記憶されている描画情報Ａを取り出し、そのうちの色情報ａ２に基づいて基本描画情報ａ１に色ごとに所定の加工を施した上で、描画素子３１への書き込み信号Ｓに変換する。具体的には、基本描画情報ａ１に線の描画に関する情報を含む場合は、変換手段７は、色ごとに基本描画情報ａ１を異なる線種又は線幅とする書き込み信号Ｓに変換する。例えば、前記ボード３が背景である緑の上に描画素子３１による白の実線と筆記手段ＰによるＲ（赤）、Ｂ（青）、Ｙ（黄）の実線が描かれているものを再生しようとするときは、変換手段７は、緑をフィルターでカットし、白の実線はそのままの実線とし（つまり無変換とし）、Ｒ、Ｂ、Ｙの実線に対して、図６（ａ）に示すように、実線を、破線、鎖線、波線とするような書き込み信号Ｓに変換する。或いは、図６（ｂ）に示すように、１Ｐ（ポイント）、２Ｐ、３Ｐといった太さの異なる線の書き込み信号Ｓに変換する。一方、前記ボード３が背景である緑の上に描画素子３１による白の領域塗りつぶしと筆記手段ＰによるＲ（赤）、Ｂ（青）、Ｙ（黄）の領域塗りつぶしとが描かれているものを再生しようとするときは、変換手段７は、緑をフィルターでカットし、白の領域塗りつぶしはそのまま白の領域塗りつぶしとし（つまり無変換とし）、Ｒ、Ｂ、Ｙの領域塗りつぶしに対して、図７に示すような異なる塗りつぶしパターン（例えば、同図（ａ）はハッチングＨ１、Ｈ２、Ｈ３であり、同図（ｂ）ではパターンＰ１、Ｐ２、Ｐ３である）の書き込み信号Ｓに変換する。
【００２７】
これらの変換は、例えば基本描画情報ａ１が線や領域を端点などを基礎としたベクトルデータとして扱っている場合には、そのベクトルデータの示す位置情報と、線種や太さ、ハッチング、パターン等の基本描画データとに基づいて、描画情報Ａから書き込み信号Ｓを生成すればよく、そのための基本描画データを記憶手段６に格納しておけばよい。また、基本描画情報ａ１がビットマップデータである場合には、そのドットの粗さを変えるフィルタを通すこと等によって編み掛け等のパターンの書き込み信号Ｓを生成することができる。
【００２８】
さらに、制御部１ｃにＯＣＲ機能を付与しているような場合には、読み取り手段５は、描画情報をテキストデータとして記憶手段６に格納し、変換手段７は、テキストデータを色に応じてスタイル（ゴシック、斜体、…）やサイズ（１０Ｐ、１２Ｐ、１４Ｐ）等の異なる書き込み信号Ｓを生成することができる。
【００２９】
実際にボード３の画面に表示されている内容を読み取るときには、ユーザが入力デバイス１ｅを使用して命令を発し、本体１ｄを前記画面に略沿って移動させる操作を行う。読み取り手段５は、本体１ｄの長手方向に沿って延伸する帯状の領域を一時に読み取るものであり、ユーザが本体１ｄを移動させることでボード３の画面の一部若しくは全部を走査する。このとき、制御部１ｃは、既存の光学式マウスまたは機械式（ボール）マウスと同様の原理で本体１ｄのボード３に対する変位を検出しつつ、光学センサ１ｂを介して読み取った内容を描画情報として記憶手段６に格納する。因みに、本体１ｄの変位を精確に検知できるように、ボード３の表面に予めグリッドライン若しくは特殊なパターン（ボード３の表面における単位領域毎に、当該単位領域の座標値を表すパターン）を印刷しておき、該グリッドライン若しくはパターンを光学センサ１ｂに感知させることが好ましい。特に、ボード３の画面の所要の領域（望ましくは、上端部位若しくは下端部位）を、テキストを記述するための専用領域として定めておき、読み取り手段５を介して該テキストを読み取り、ＯＣＲにてテキストデータに変換することが好ましいと言える。記憶手段６には、複数枚分の画面に係る画像データを格納することができる。
【００３０】
また、実際にボード３の画面に描画するときには、ユーザが入力デバイス１ｅを使用して命令を発し、本体１ｄを前記画面に略沿って移動させる操作を行う。
【００３１】
具体的には、ボード３の画面の一部若しくは全部を走査することで、本体１ｄの長手方向に沿って延伸する帯状の領域を一時に描画する。このとき、制御部１ｃは、既存の光学式マウスと同様の原理で本体１ｄのボード３に対する変位を検出しつつ、記憶手段６に記憶してある描画情報を逐次変換又は予め変換しておくことにより書き込み信号Ｓを素子駆動手段４に送り、この素子駆動手段４が描画素子３１に対して駆動信号Ｈを出力する。因みに、既に述べたように、本体１ｄの変位を精確に検知できるように、ボード３の表面に予めグリッドライン若しくは特殊なパターンを印刷しておき、該グリッドライン若しくはパターンを光学センサ１ｂに感知させることが好ましい。
【００３２】
なお、ボード３の画面に表示されている所要の画像を読み取る際に、素子駆動手段４を制御して、読み取り対象の画像を消去するようにしても構わない。また、素子駆動手段４が画像を描画する際に、描画対象領域に既に存在する画像の上に重ね書きしてもよく、あるいは描画対象領域に存在する画像を消去しながら新たな画像を描画するようにしてもよい。本実施形態では、描画ヘッド１ａの本体１ｄの移動方向に沿って前後に、つまり描画ヘッド１ａの左右に光学センサ１ｂを設けてあり、本体１ｄが右から左へ移動する場合にも、逆に本体１ｄが左から右へ移動する場合にも、既に画面に表示されている内容を読み取りつつ新たな画像を描画することが可能となっている。
【００３３】
一方、この表示装置Ｘとともに表示システムを構築する情報処理装置２は、図８に示すように、プロセッサ２ａ、メインメモリ２ｂ、ハードディスクドライブに代表される補助記憶デバイス２ｃ、電気通信回線Ｎを介して通信を行うための通信インタフェース２ｄ、等のハードウェア資源を具備する。通信インタフェース２ｄは、ＮＩＣ（Ｎｅｔｗｏｒｋ  Ｉｎｔｅｒｆａｃｅ  Ｃａｒｄ）、モデム、ＲＳ−２３２Ｃ、ＵＳＢ（Ｕｎｉｖｅｒｓａｌ  Ｓｅｒｉａｌ  Ｂｕｓ）、ＩＥＥＥ１３９４、あるいは無線通信デバイス１ｇ、その他を包含する。通常、プロセッサ２ａによって実行されるべきプログラムが補助記憶装置２ｃに格納されており、プログラムの実行の際には補助記憶装置２ｃからメインメモリ２ｂに読み込まれ、プロセッサ２ａによって解読される。そして、当該プログラムに従い上記のハードウェア資源を作動し、情報処理装置２は、基本描画情報ａ１及び色情報ａ２を含む描画情報Ａを表示装置Ｘから受信して記憶し、或いはこの描画情報Ａを電気通信回線Ｎを介して表示装置Ｘに送信し、その記憶手段６に書き込むことができる。
【００３４】
以上のように、本実施形態の表示装置Ｘは、駆動信号Ｈが入力されることにより表示状態がＯＦＦからＯＮに切り替わる描画素子３１を多数配列した表示手段たるボード３と、前記ボード３に表示すべき描画情報Ａを記憶した記憶手段６と、この記憶手段６に記憶されている描画情報Ａを書き込み信号Ｓに変換する変換手段７と、この変換手段７により変換された書き込み信号Ｓに基づいて前記ボード３の描画素子３１に駆動信号Ｈを出力する素子駆動手段４とを具備するものである。そして、前記描画情報Ａが、描画すべき位置又は領域を指定する基本描画情報ａ１と、描画すべき位置又は領域の色を指定する色情報ａ２とを含み、前記変換手段７が、前記色情報ａ２に基づき基本描画情報ａ１に色ごとに所定の加工を施した上で描画素子３１への書き込み信号Ｓに変換するようにしているものである。
【００３５】
このため、カラー表示機能を備えない本実施形態のような安価な表示装置Ｘにおいても、カラーで色分けされた描画情報Ａを識別可能な状態で有効に表示させることが可能となり、学校、オフィスなどにおいて好適に利用することが可能となる。
【００３６】
具体的な態様として、基本描画情報ａ１に線の描画に関する情報を含む場合に、変換手段７に、色情報ａ２に基づいて色ごとに基本描画情報ａ１の線を異なる線種又は線幅の線に変換させ、基本描画情報ａ１に領域の塗りつぶしに関する情報を含む場合に、変換手段７に、色情報ａ２に基づいて色ごとに基本描画情報ａ１の領域の塗りつぶしを異なる塗りつぶしパターンに変換させるだけであり、変換自体は既知の手法を用いて実現することができるため、別途新たに変換のためのアルゴリズム等を構築せずとも本発明を有効に実現することが可能となる。
【００３７】
また、この実施形態の表示装置Ｘは、ボード３の描画素子３１が、色表示要素３３を内包し、この色表示要素３３を電気力又は磁気力で変位させることによって表示状態がＯＦＦからＯＮに切り替わるものであり、往来の黒板のような使い勝手のものであるため、本発明のような色表示機能を付与することで、往来の黒板と同様に扱いながら、保存、呼び出し、色表示もできるより便利な表示ツールとしての利用価値を有する。
【００３８】
特に、この実施形態の表示装置Ｘは、ボード３の表面に、透明又は半透明のシート層を備え、このシート層を介して描画素子３１の表示状態を視認可能にするとともに、このシート層の表面にマーカー等の筆記手段Ｐによる書き込みを可能としているが、表示装置Ｘが上記のような構成であるから、筆記手段Ｐで書き込んだものを後日このボード３に色識別可能な状態で表示したり、電気通信回線Ｎを通じて他の表示装置Ｘのボード３に色識別可能な状態で表示するなど、書き込んだ情報を色情報を含む電子情報として有効に扱うことが可能となる。
【００３９】
また、この実施形態は、情報処理装置２に基本描画情報ａ１及び色情報ａ２を含む描画情報Ａを記憶できるようにしておき、表示装置３からこの情報処理装置２に描画情報Ａをアップしたり、この情報処理装置２から表示装置３に描画情報Ａをロードすることができるため、遠隔間での会議システムなどにこの表示システムを有効に利用することが可能となる。
【００４０】
なお、各部の具体的な構成は、上述した実施形態のみに限定されるものではなく、本発明の趣旨を逸脱しない範囲で種々変形が可能である。
【００４１】
【発明の効果】
以上説明したように、本発明によれば、モノクロ表示機能或いはツートンカラー表示機能のみのボード等を用いても、色情報を有効に扱えるようにした新規有用な表示装置を新たに提供できるものである。
【図面の簡単な説明】
【図１】本発明の一実施形態に係る表示装置を示す図。
【図２】同実施形態の表示装置を利用して構築される表示システムを示す図。
【図３】同実施形態の描画素子及びその周辺を示す模式的な図。
【図４】同実施形態の駆動装置側のハードウェア資源を示す図。
【図５】同実施形態の主たる表示機能を示す機能ブロック図。
【図６】同実施形態における変換手段の機能を説明する図。
【図７】同実施形態における変換手段の機能を説明する図。
【図８】同実施形態の情報処理装置のハードウェア資源を示す図。
【符号の説明】
２…情報処理装置
３…表示手段（ボード）
３１…描画素子
３３…色表示要素
４…素子駆動手段
５…変換手段
６…記憶手段
７…読み取り手段
Ａ…描画情報
ａ１…基本描画情報
ａ２…色情報
Ｈ…駆動信号
Ｎ…電気通信回線
Ｓ…書き込み信号
Ｘ…表示装置
【図１】
2004276412.tif 000003
【図２】
2004276412.tif 000004
【図３】
2004276412.tif 000005
【図４】
2004276412.tif 000006
【図５】
2004276412.tif 000007
【図６】
2004276412.tif 000008
【図７】
2004276412.tif 000009
【図８】
2004276412.tif 000010